(57)【要約】【課題】遊技パターンが画一的な従来の羽根物遊技機に代わる風車体を備えた遊技機を提供する。【解決手段】枠型の入賞装置２０の上部を大きく開口し、該開口の開口度合いを変化させる風車体２３を備えた。適宜風車体２３を回動させることにより、入賞装置２０内に遊技球を効率よく入賞させることができる。また、風車体２５自体が上下左右に動くことができ、入賞装置２０の上部開口２３を大きく開放し、短時間で大量の賞球処理を行うことを可能にした。【選択図】図１
2014097269.tif 000002
【特許請求の範囲】
【請求項１】
遊技盤面上に遊技球が入賞可能な入賞装置を備えた遊技機であって、
前記入賞装置は、上部が開口するとともに内部には特定入賞口を有し、開口の近傍に、該開口の開口度合いを変化させる風車体を回動自在に軸支し、
前記特定入賞口に遊技球が入賞すると、前記風車体は前記開口を開放する方向に移動可能に設けられたことを特徴とする遊技機。
【請求項２】
前記風車体は上方に移動可能に設けられたことを特徴とする請求項１に記載の遊技機。
【請求項３】
前記風車体は、少なくとも２基並設されており、それぞれ左右に移動可能に設けられたことを特徴とする請求項１に記載の遊技機。
【請求項４】
遊技盤面上に各種表示態様の表示が可能な可変表示部を有し、
前記特定入賞口に遊技球が入賞すると、前記可変表示部は表示態様の変動表示を行い、特定の表示態様が確定すると、該特定の表示態様に対応して、前記風車体は上方または左右に移動して前記開口の開放する度合いを変化させたことを特徴とする請求項１，２または３に記載の遊技機。
【請求項５】
前記特定の表示態様に対応した前記風車体の上方または左右への移動は、移動距離または回数を異ならせて行うことを特徴とする請求項１，２，３または４に記載の遊技機。
【請求項６】
前記入賞装置は左右の両側にそれぞれ左右に開く可動翼を備え、
前記特定入賞口に遊技球が入賞すると、前記可動翼が所定の回数又は入賞球数に達するまで開閉することを特徴とする請求項１，２，３，４または５に記載の遊技機。
【請求項７】
遊技盤面上に大入賞口を有し、該大入賞口は、前記特定入賞口に遊技球が入賞すると、所定回数開閉することを特徴とする請求項６に記載の遊技機。
【請求項８】
前記特定入賞口を複数備え、それぞれ前記特定入賞口毎に対応して前記風車体の移動距離を異ならせたり、また、前記可動翼の開閉回数を異ならせたり、また、大入賞口の開閉回数を異ならせたりして、付与する賞球の態様を異ならせたことを特徴とする請求項１，２，３，４，５，６または７に記載の遊技機。
【請求項９】
前記風車体は３枚の羽根により構成したことを特徴とする請求項１，２，３，４，５，６，７または８に記載の遊技機。
【請求項１０】
前記風車体を構成する羽根はその先端を折り曲げた構造したことを特徴とする請求項１，２，３，４，５，６，７，８または９に記載の遊技機。
【発明の詳細な説明】
【技術分野】
【０００１】  本発明は、遊技盤面上に遊技球が入賞可能な入賞装置を備えた遊技機に関する。
【背景技術】
【０００２】  従来、この種のパチンコ遊技機の中に、いわゆる「ヒコーキ」、「羽根物」と呼ばれるパチンコ遊技機（以下「羽根物遊技機」という）がある（図８参照）。
羽根物遊技機では、始動入賞口に遊技球が入賞すると、第２種役物装置である一対の可動片を備えた可変入賞部の可動片が開放状態となり、最大開閉動作を１８回行う、または１０個等の所定数の遊技球が可変入賞部の内部にある入賞口に取り込まれた時点で可動片を閉じるようになっている。また、可動片が開いている間に取り込まれた遊技球が入賞口内の一部に設けられたＶゾーンと呼ばれる特定領域に入賞すると、可動片が最大回数（通常は１５回）を限度に再度、所定の大当たり動作を継続するようになっている（特許文献１、特許文献２）。
【先行技術文献】
【特許文献】
【０００３】
【特許文献１】特開平５−８４３４５号公報
【特許文献２】特開平２−１３６１５２号公報
【発明の概要】
【発明が解決しようとする課題】
【０００４】  しかしながら、従来のこの種の羽根物遊技機においては、始動入賞口に入賞、羽根の開閉、特定領域への入賞という遊技パターンが均一化されているので、遊技に躍動感がなく、遊技に対する興趣が低下し、他の種の遊技に比べて羽根物遊技機は人気に乏しく、遊技機の種類としても停滞していた。【０００５】  また、入賞（払い出し）のペースは主として可変入賞部の両端の可動片の開動作により内部へ導入された遊技球のみによるのであって、大当たりした際の賞球の（時間あたりの）効率は低く、近年特に確率変動機能つきの短時間で大量の大当たりが出る遊技機に対して大きく見劣りしているという問題点もあった。【０００６】  本発明は、上記の事情に鑑み、主たる役物装置（センター役物）として、上部が開口した入賞装置を採用し、上部開口の近傍に風車体を配設して、遊技球の流れを不均一化して、遊技が単調になるのを防ぎ、さらに、風車体を上下左右に動かすことによって入賞装置内に遊技球を導入し易くして賞球の効率を高め、もって遊技の興趣を高めた遊技機を提供することを目的としている。
【課題を解決するための手段】
【０００７】  前述した目的を達成するための本発明の要旨とするところは、以下の各項の発明に存する。
［１］遊技盤面（１１）上に遊技球が入賞可能な入賞装置（２０）を備えた遊技機であって、
前記入賞装置（２０）は、上部は開口するとともに内部には特定入賞口（２１）を有し、開口の近傍に、該開口（２３）の開口度合いを変化させる風車体（２５）を回動自在に軸支し、
前記特定入賞口（２１）に遊技球が入賞すると、前記風車体（２５）は前記開口（２３）を開放する方向に移動可能に設けられたことを特徴とする遊技機（１０）。【０００８】  ［２］前記風車体（２５）は上方に移動可能に設けられたことを特徴とする［１］に記載の遊技機（１０）。【０００９】  ［３］前記風車体（２５）は、少なくとも２基並設されており、それぞれ左右に移動可能に設けられたことを特徴とする［１］に記載の遊技機（１０）。【００１０】  ［４］遊技盤面上に各種表示態様の表示が可能な可変表示部（３１）を有し、
前記特定入賞口（２１）に遊技球が入賞すると、前記可変表示部（３１）は表示態様の変動表示を行い、特定の表示態様が確定すると、該特定の表示態様に対応して、前記風車体（２５）は上方または左右に移動して前記開口（２３）の開放する度合いを変化させたことを特徴とする［１］，［２］または［３］に記載の遊技機（１０）。【００１１】  ［５］前記特定の表示態様に対応した前記風車体（２５）の上方または左右への移動は、移動距離または回数を異ならせて行うことを特徴とする［１］，［２］，［３］または［４］に記載の遊技機（１０）。【００１２】  ［６］前記入賞装置（２０）は左右の両側にそれぞれ左右に開く可動翼（２４）を備え、
前記特定入賞口（２１）に遊技球が入賞すると、前記可動翼（２４）が所定の回数又は入賞球数に達するまで開閉することを特徴とする［１］，［２］，［３］，［４］または［５］に記載の遊技機（１０）。【００１３】  ［７］遊技盤面（１１）上に大入賞口（３０）を有し、該大入賞口（３０）は、前記特定入賞口（２１）に遊技球が入賞すると、所定回数開閉することを特徴とする［６］に記載の遊技機（１０）。【００１４】  ［８］前記特定入賞口（２１）を複数備え、それぞれ前記特定入賞口（２１）毎に対応して前記風車体（２５）の移動距離を異ならせたり、また、前記可動翼（２４）の開閉回数を異ならせたり、また、大入賞口（３０）の開閉回数を異ならせたりして、付与する賞球の態様を異ならせたことを特徴とする［１］，［２］，［３］，［４］，［５］，［６］または［７］に記載の遊技機（１０）。【００１５】  ［９］前記風車体（２５）は３枚の羽根（２６）により構成したことを特徴とする［１］，［２］，［３］，［４］，［５］，［６］，［７］または［８］に記載の遊技機（１０）。【００１６】  ［１０］前記風車体を構成する羽根（２６）はその先端を折り曲げた構造したことを特徴とする［１］，［２］，［３］，［４］，［５］，［６］，［７］，［８］または［９］に記載の遊技機（１０）。【００１７】  前記本発明は、次のように作用する。
前記［１］，［２］に記載の遊技機（１０）によれば、遊技盤面（１１）上に風車体（２５）を備えた入賞装置（２０）が配設される。風車体（２５）は開口（２３）の近傍に回動自在に軸支されており、入賞装置（２０）の上部に形成された開口（２３）を閉じたり開いたり変化させることができる。すなわち、風車体（２５）を回動させることにより、羽根（２６）が入賞装置（２０）の上部開口（２３）を開いた状態にしたり、閉じた状態にしたりする。これにより、遊技盤面（１１）上を流下する遊技球はタイミングよく風車体（２３）に入った場合は、入賞装置（２０）内の入賞口（２１，２２）に入賞し、タイミング悪く風車体（２５）に入らなかった場合は、弾かれて左右に跳ねてさらに盤面の下方に流下したりすることとなり、遊技球の流れを不均一化し遊技の興趣を高めることができる。【００１８】  また、風車体（２５）は上方向に移動し開口（２３）の開口度合いを自在に変化させることができるので、入賞装置（２０）の上部開口（２３）を大きく開放し、多くの遊技球を短時間で内部に導入し入賞させることができる。さらに、入賞装置（２０）内部に入賞口（２１，２２）を備え、その一部又は全てを特定入賞口（２１）として、他の遊技動作と連動させることができる。すなわち、特定入賞口（２１）に入った場合には、風車体（２５）を大きく上方に移動させて入賞装置（２０）内に遊技球を多く導入することを可能としたり、導入し易い位置で風車体（２５）を停止したりすることができる。【００１９】  前記［３］に記載の遊技機（１０）によれば、風車体（２５）は少なくとも２機並設されており、それぞれ上下及び／又は左右移動することができる。これにより、入賞装置（２０）の上部開口（２３）を広く開放し、短時間に大量の遊技球を入賞装置（２０）内に導入することができる。【００２０】  前記［４］，「５］に記載の遊技機（１０）によれば、遊技盤面上に各種表示態様の表示が可能な可変表示部（３１）を有しており、特定入賞口（２１）に遊技球が入賞すると、可変表示部（３１）は表示態様の変動表示を行い、変動表示が停止して特定の表示態様が確定すると、特定の表示態様に対応して、風車体（２５）は上方または左右に移動して開口（２３）の開放する度合いを変化させる。これにより、特定の表示態様に応じた賞球が可能となり遊技者に抽選の期待を持たせて興趣を高めることができる。また、開口（２３）の開放する度合いは風車体（２５）の移動の距離又は回数によって行うことができ、賞球の態様に様々なバリエーションをつけることができる。【００２１】  前記［６］に記載の遊技機（１０）によれば、入賞装置（２０）の左右の両端には、左右に開く可動翼（２４）を備えている。これにより、特定入賞口（２１）に遊技球が入賞した場合、前述した可変入賞装置（３１）に特定の表示態様が変動表示の結果、確定した場合などに、可動翼（２４）の開動作を行って賞球をすることができる。賞球は可動翼（２４）が所定回数開動作を行っても良いし、所定の入賞数に達するまで遊技球が入賞するまで継続して開動作を行うなどしても良い。【００２２】  前記［７］に記載の遊技機（１０）によれば、遊技盤面（１１）上には、大入賞口（３��）を備えている。これにより、特定入賞口（２１）に遊技球が入賞した場合、前述した可変入賞装置（３１）に特定の表示態様が変動表示の結果、確定した場合などに、大入賞口（３０）の開動作を行って賞球をすることができる。大量入賞可能となり、賞球付与の処理を迅速に行うことができる。【００２３】  前記［８］に記載の遊技機（１０）によれば、入賞装置（２０）内に複数の特定入賞口（２１）を備えている。これにより、それぞれの特定入賞口（２１）に対応して、遊技態様を異ならせることができる。すなわち、風車体（２５）の移動距離、移動回数を異ならせたり、大入賞口の開動作の回数、時間を異ならせたりすることによって行うことができ、遊技にバリエーションを与え遊技者の興趣を高めることができる。【００２４】  前記［９］に記載の遊技機（１０）によれば、風車体（２５）は３枚の羽根により構成されている。これにより、羽根（２６）に衝突した遊技球の動きに意外性をもたらす一方、開口（２３）を適度に開放することとなり、さらに遊技者の興趣を高めることができる。【００２５】  前記［１０］に記載の遊技機（１０）によれば、風車体（２５）構成する羽根（２６）の先端を折り曲げて形成した。これにより、風車体（２５）の羽根（２６）から遊技球をこぼれ難くして遊技球を取り込み易くすることができる。
【発明の効果】
【００２６】  本発明に係る遊技機によれば、上部が開口した入賞装置を採用し、上部開口の近傍に風車体を配設したことにより、遊技球の流れを不均一化して遊技が単調になるのを防ぎ、また、風車体を上下左右に動かすことによって入賞装置内に遊技球を導入し易くして賞球の効率を高めることができる。
【図面の簡単な説明】
【００２７】
【図１】  本発明の第１実施の形態に係る遊技機（１０）を示す正面図である。
【図２】  本発明の第１実施の形態に係る風車体（２５）を左右に２基並設した場合の遊技機（１０）を示す正面図である。
【図３】  本発明の第１実施の形態に係る遊技機（１０）における風車体（２５）を３枚の羽根により構成した様子の１つの風車体（２５）によるもの（ａ）、２つの風車体（２５）によるもの（ｂ）を示す入賞装置（２０）の正面図である。
【図４】  本発明の第１実施の形態に係る遊技機（１０）における風車体（２５）の先端に折れ部（２６ａ）を備えた様子を示す入賞装置（２０）の正面図である。
【図５】  本発明の第２実施の形態に係る遊技盤面（１１）を示す正面図（ａ）と、風車体（２５）を左右に２基並設した場合を示す遊技盤面（１１）を示す正面図（ｂ）である。
【図６】  本発明の第３実施の形態に係る遊技機（１０）を示す正面図である。
【図７】  本発明の第４実施の形態に係る遊技機（１０）を示す正面図である。
【図８】  従来の遊技機の例を示す正面図である。
【発明を実施するための形態】
【００２８】  以下、図面に基づき、本発明を代表する各種実施の形態を説明する。
図１は、本発明の第１実施の形態に係る遊技機１０を示している。
遊技機１０は、遊技盤面１１上に遊技球を打ち出して遊技を行うパチンコ機である。遊技機１０は、打ち出された遊技球が落下して遊技を進行させる役物等が取り付けられた遊技領域をなす遊技盤面１１と、遊技領域の正面を覆うガラスを固定するガラス枠等を有している。
【００２９】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００３０】  遊技盤面１１の正面視において左側端縁を区画する位置には、前記ハンドル１６の回転操作により打ち出された遊技球を遊技盤面１１の上方へ導くための外レールが設けられている。遊技盤面１１には、前記外レールより放出された遊技球が落下する経路に変化を与えるための天釘１２を含む遊技釘の他、遊技盤面１１の略中央に風車体２５を備えた入賞装置２０、入賞装置２０の下方には入賞装置２０を略Ｖ字型に取り囲むように一般入賞装置３５が５基設けられている。また遊技盤面１１の最下部には、何れの入賞口、入賞装置にも入らず落下した遊技球を排出するためのアウト球口１３が設けられている。
【００３１】  加えて、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、表示遊技や特別遊技状態を制御する等の様々な機能を有している。ここで、制御手段は各種入賞口に遊技球が入賞した際に賞出信号を機内部にある計数機に出力して、各種入賞口ごとに予め割り当てられている所定数の遊技球を計数機から上皿１４に払い出させるように構成してもよい。
【００３２】  次に、本発明の根幹を成す風車体２５を備えた入賞装置２０について説明する。図１にも示すように、入賞装置２０は、遊技盤面１１の略中央に遊技機１０の主たる役物装置として配設される。その上端には左右両端に亘って開口２１が形成され全体を凵形状とし、内部であってその下部には入賞装置２０内に入った遊技球を入賞させる入賞口２１，２２を備える。入賞口２１，２２を複数備えるものとして構成し、その一部又はすべてを特定入賞口２１として、その他の遊技動作と連動させることができる。
【００３３】  入賞装置２０の上部開口２３の近傍には風車体２５が回動自在に軸支される。風車体２５の回転軸２７及び羽根２６の長さについては、入賞装置２０内への入賞のし易さからみて最適なものが決定されるが、例えば、回転軸２７が開口２３の両側方向における中間位置、すなわち開口２１の外側であって、その垂直二等分線上の位置に配置されてもよい。
【００３４】  当該位置にある風車体２５はそれを回転させることにより、羽根２６が入賞装置２０の上部に形成された開口２３の開口度合いを変化させて、開口２３を閉じた状態、もしくは開いた状態にする。遊技盤面１１上を流下する遊技球はそのタイミングにより、入賞装置２０内に入ったり、又は入らずに左右上下に弾かれてさらに遊技盤面１１の下方に流下したりすることになる。
【００３５】  また、風車体２５は、上下に移動可能に配設されており、開口２３の開口度合いを自在にコントロールして変化させることができる。これにより、開口２３を大きく開放して多くの遊技球を入賞装置２０内部に導入する状態としたり、逆に開口２３近くに風車体２５を留め置いて遊技球を相対的に導入し辛い状態としたりすることができる。複数ある特定入賞口２１のそれぞれに対応させて、その移動距離や時間を自在にコントロールして賞球のペース、量を変化させることができる。
【００３６】  さらに、図２に示すように、左右に２基の風車体２５を並設するものとしてもよい。入賞装置２０の上方に２基の風車体２５を配設し、略左右方向に移動可能にしたものである。この場合、左右の風車体２５，２５をそれぞれ左右方向に移動させることにより、入賞装置２０の開口２３全体に亘って開放し大量の遊技球を内部に導入させることができる。
【００３７】  風車体２５の回転についての駆動手段ついては、遊技機の一般的な構成であるので詳述しないが、モーター等の駆動装置を少なくとも有し、風車体２５の回転軸に駆動力を伝えるギヤ、クラッチなどの伝達機構を有するものと成る。また、風車体２５の移動の方法については、ソレノイドによる電磁的に制御が可能なものを使用する。いずれの方法についても前述した遊技機全体の制御を行う制御手段によって、その回転方向、回転速度、停止位置、停止と回転のパターン、移動、移動速度、移動回数、移動パターン等を制御する。
【００３８】  また、風車体２５は、図３（ａ）または（ｂ）に示すように、３枚の羽根によって構成しても良い。これらの場合、８枚の羽根による風車体２５と比べて羽根同士の間隔が広くなるので、遊技球が入賞装置２０内に入りやすくなる他、特に図３（ｂ）に示した入賞装置２０である場合、左右方向への風車体２５の移動によって広く開口２３を開放する効果と合わせて、大量の遊技球を短時間に賞球できることとなる。
【００３９】  さらに、風車体２５は、図４（ａ），（ｂ）または（ｃ）に示すように、羽根２６の先端を折り曲げた折れ部２９を形成した形状としてもよい。風車体２５の回転方向が折れ部２９を形成した方向と逆の場合（図４（ａ）の場合時計回り方向）、特に遊技球が羽根２６からこぼれ落ちるのを防ぐこととなるのでより多くの遊技球を入賞装置２０内に導入できることとなる。
【００４０】  次に、遊技機１０の作用を説明する。
遊技者はハンドル１６を打ち出し力に応じて回転操作することで球発射装置（図示省略）により、遊技盤面１１上に遊技球を打ち出して遊技を行う。遊技球は所定の間隔をもって次々に打ち出され、天釘１２をはじめ遊技盤面１１上のさまざまな部位に衝突しながら下方に落下（流下）をする。
【００４１】  予め所定のパターンによって回転している風車体２５に遊技球が入り、入賞装置２０の外部にこぼれ落ちずに残ったものが、入賞装置２０内に導入されて入賞口２１，２２に入る。風車体２５によって遊技球の流下する様子が不均一化されることにより、遊技者を飽きさせず遊技の興趣を高めることができる。
【００４２】  また、風車体２５は回転するのみでなく、上下方向、左右方向の開口２３を開放する方向に動くことができるので、多くの遊技球を短時間に内部に導入して入賞させることができる。ここで、風車体２５の動きは上下方向、左右方向としたがその動作方向は右上、左上、右下、左下等の方向も風車体２５の回転が入賞装置２０を含む他の遊技装置に干渉しない範囲で動作可能な領域が含まれ、その動作方向が設定される。
【００４３】  入賞装置２０内の入賞口２１，２２は、単数または複数の構成とし、その全てまたは一部を特定入賞口２１として、他の遊技動作の開始動作とすることができる。すなわち、特定入賞口２１に遊技球が入賞することにより、風車体２５を略上及び／又は左右方向に動かしたり、遊技盤面１１上に配設された一般入賞装置３５の開動作をしたり、可変表示部３１により抽選遊技を行ったり、大入賞口３０を開動作し賞球を行うなどする。特定入賞口２１を複数も受けた場合、複数入賞口２１それぞれに対応して遊技動作を設定して、さまざまなバリエーションを演出し遊技者を楽しませることができる。
【００４４】  本実施の形態の遊技機１０によれば、入賞装置２０は、遊技盤面１１上の上部の天釘に近い位置に配置することができる。従来の始動入賞口までの距離が長い場合に、遊技盤面上に打ち込まれて滞留している遊技球の数が多く、遊技球が入賞するかどうかの帰趨が決するまでの処理に時間がかかるのと異なり、この場合、開口２３および風車体２５は天釘のごく近い位置に配されることになり、遊技者は天釘およびその近傍を狙って遊技を開始できるので、上部の開口２３から遊技球を効率良く入賞装置２０内部に取り込むことができる。
【００４５】  図５は第２の実施の形態に係る遊技機１０の遊技盤面１１を示しており、図５（ａ）は風車体２５が１箇所設けられた場合、図５（ｂ）は風車体２５が２箇所並設された場合を示している。なお、前述した第１の実施の形態と同種の部位には同一の符号をつけて説明を省略する。本実施の形態に係る遊技機１０は、可変表示部３１を備えている。
【００４６】  図５（ａ）に示すように、入賞装置２０内の特定入賞口２１に遊技球が入賞すると、可変入賞部３１が変動表示を開始し、変動表示が停止した結果、可変入賞部３１に特別な表示態様が表示されると、風車体２５は上方に移動して開口２３を開放するようにする。また、風車体２５を左右に並設した場合（図５（ｂ））は、左右にそれぞれ移動して開口２３を開放する。
【００４７】  可変入賞部３１へ表示される特別な表示態様により賞球の付与を異ならせる場合、開放度合いが高ければ高いほど、開放時間が長ければ長いほど多くの遊技球が入賞装置２０内に導入されるので、風車体２５の（最も閉鎖度合いの高い場所からの）移動距離と（最も閉鎖度合いの高い状態からの）開放時間により、行うことができる。
【００４８】  例えば、特定の表示態様が「７」「７」である場合にその移動距離を最大にし、同じく「５」「５」である場合には移動距離を最大より短く設定するなどである。また、開放時間による場合は「７」「７」である場合には、開放状態を１０秒維持し、同じく「５」「５」である場合にはその時間を１０秒より短く６秒に設定するなどして行う。  これらの異なる賞球の態様は無限に設定が可能であるので、容易にバリエーションをつけることができる。
【００４９】  図６は第３の実施の形態に係る遊技機１０において遊技盤面１１に風車体２５が２箇所並設された様子を示している。なお、前述した第１，２の実施の形態と同種の部位には同一の符号をつけて説明を省略する。本実施の形態に係る遊技機１０は、入賞装置２０の左右の両端に可動翼２４，２４を備えている。入賞装置２０内に設けられた特定入賞口２１に連動させて所定回数、時間、可動翼２４，２４を開いて賞球の付与をすることができる。また、所定の入賞数に達するまで遊技球が入賞するまで継続して開動作を行うなどしても良い。
【００５０】  図７は第４の実施の形態に係る遊技機１０を示している。なお、前述した第１，２，３の実施の形態と同種の部位には同一の符号をつけて説明を省略する。本実施の形態に係る遊技機１０は風車体２５の左右の側方に補助風車体２９を有するほか、入賞装置２０の下方であって遊技盤面１１の略中央に大入賞口３０を備えている。入賞装置２０内に設けられた特定入賞口２１に連動させて所定回数、時間、大入賞口３０を開いて賞球の付与をすることができる。大入賞口３０は短時間で大量の入賞が可能であり、賞球付与の処理を迅速に行うことができる。
【００５１】  補助風車体２９はその回転により、流下する遊技球の大雑把な行方を規制してコントロールすることができる。これにより、遊技球を風車体２３へ落ちるように回転させて遊技球をより入賞装置２０内に導入し易くすることができる。また、他の一般入賞装置３５と補助風車体２９の動きを連動させて遊技を多様にして遊技者の興趣を高めるものとしても良い。
【００５２】  以上、本発明の実施の形態を図面によって説明してきたが、具体的な構成はこれらの実施の形態に限られるものではなく、本発明の要旨を逸脱しない範囲における変更や追加があっても本発明に含まれる。前述した実施の形態では、大入賞口３０と可変入賞部３１は同時に備えたものを示さなかったが、同時に備えるものとしてもよい。特定入賞口２１に連動した可変入賞部３１の結果により大入賞口３０の開動作を行うなどすればよい。
【産業上の利用可能性】
【００５３】  本発明に係る遊技機はパチンコ機に限らず、プログラム制御されるスマートボールゲーム機、アレンジボールゲーム機といった他の遊技機にも同様に適用することができる。
【符号の説明】
【００５４】  １０…技機
１１…遊技盤面
１２…天釘
１３…アウト球口
１４…上皿
１５…下皿
１６…ハンドル
２０…入賞装置
２１…特定入賞口
２２…普通入賞口
２３…開口
２４…可動翼
２５…風車体
２６…羽根
２６ａ…折れ部
２７…回転軸
２８…ソレノイド
２９…補助風車体
３０…大入賞口
３１…可変表示部
３５…一般入賞装置
【図１】
2014097269.tif 000003
【図２】
2014097269.tif 000004
【図３】
2014097269.tif 000005
【図４】
2014097269.tif 000006
【図５】
2014097269.tif 000007
【図６】
2014097269.tif 000008
【図７】
2014097269.tif 000009
【図８】
2014097269.tif 000010